(57)【特許請求の範囲】
【請求項１】
器体の内部に、換気扇への電源供給を入切する開閉素子と、前記器体の前面に露設された操作スイッチのオン／オフ操作に応じて前記開閉素子を開閉させる開閉制御手段と、前記換気扇の運転時間を積算する積算手段と、前記器体の前面に露設されたリセットスイッチの押操作に応じて前記積算手段の積算時間をリセットするリセット手段とを収納するとともに、前記器体の前面に露設した設定操作子の設定操作に応じて、清掃表示を開始する表示開始時間の設定を少なくとも含む動作設定を行う動作設定手段と、前記積算手段の積算時間が前記表示開始時間に達すると換気扇フィルタの清掃時期が来たことを表示する清掃時期表示手段とを設け、
前記積算手段は、前記清掃時期表示手段が表示を行う間も運転時間の積算を継続して行い、
前記器体の前面の略全体を覆うような寸法に形成されるとともに、前記リセットスイッチに対向する部位に前記リセットスイッチを露出させる窓孔が形成され、前記器体の前面に回動自在に取着されて裏面で前記操作スイッチを押操作自在とした操作ハンドルを備え、前記開閉制御手段は、前記操作スイッチが前記リセットスイッチと一緒に押操作された場合は前記開閉素子の開閉を行わないことを特徴とする換気扇スイッチ。
【請求項２】
前記動作設定手段は、換気扇フィルタの清掃時期に対応した１乃至複数の設定時間、および、動作確認を短時間で行うために前記清掃時期に比べて短い時間に設定された動作確認用の設定時間の中から択一的に表示開始時間を設定することを特徴とする請求項１記載の換気扇スイッチ。
【請求項３】
前記動作設定手段は、前記設定操作子の複数の切替位置に応じて動作に関わる設定が切り替わる切替スイッチからなり、何れかの切替位置を前記積算手段による積算動作を停止させる停止位置としたことを特徴とする請求項１又は２記載の換気扇スイッチ。
【請求項４】
前記リセット手段は、前記設定操作子が前記停止位置に切り換えられると前記積算手段の積算時間をリセットすることを特徴とする請求項３記載の換気扇スイッチ。
【請求項５】
前記開閉制御手段は、前記操作スイッチが押されてから前記操作スイッチが離されるまでの間に前記リセットスイッチからの操作入力があった場合は、前記操作スイッチと前記リセットスイッチが一緒に押操作されたと判断することを特徴とする請求項１乃至３の何れかに記載の換気扇スイッチ。
【請求項６】
前記清掃時期表示手段が、換気扇フィルタの清掃時期が到来したことを点灯表示する清掃時期表示ランプからなり、当該清掃時期表示ランプが、前記換気扇の運転／停止を点灯表示する動作表示ランプを兼用することを特徴とする請求項１乃至５の何れかに記載の換気扇スイッチ。
【請求項７】
前記開閉制御手段は、前記換気扇の運転中に前記操作スイッチが押操作されると、前記操作スイッチの操作時から所定の一時停止期間が経過するまで前記開閉素子をオフさせるとともに、前記一時停止期間が経過すると前記開閉素子をオンさせることを特徴とする請求項１乃至６の何れかに記載の換気扇スイッチ。
【請求項８】
風量が強弱の２段階に切替可能な前記換気扇に用いられ、前記開閉素子として、前記換気扇の強運転時にオンされる強動作開閉素子と、前記換気扇の弱運転時にオンされる弱動作開閉素子とを備え、前記開閉制御手段は、前記換気扇の停止中に前記操作スイッチが押操作されると前記弱動作開閉素子をオンさせるとともに、前記換気扇の運転中に前記操作スイッチが所定の操作時間以上連続して押操作されると前記両開閉素子をオフさせ、且つ、前記換気扇の運転中に前記操作スイッチが前記操作時間よりも短い時間だけ押操作されると、前記両開閉素子のオン／オフをそれぞれ反転させることで風量の強弱を切り換えることを特徴とする請求項１乃至６の何れかに記載の換気扇スイッチ。
【請求項９】
前記開閉制御手段は、前記換気扇の弱運転中に前記操作スイッチが前記操作時間よりも短い時間だけ押操作されると、前記弱動作開閉素子をオフ、前記強動作開閉素子をオンさせることによって前記換気扇を強運転させるとともに、強運転に切り換えてから所定の強運転時間が経過すると、前記強動作開閉素子をオフ、前記弱動作開閉素子をオンさせることによって前記換気扇を弱運転させることを特徴とする請求項８記載の換気扇スイッチ。
【発明の詳細な説明】
【技術分野】
【０００１】
本発明は、換気扇、特に常時換気設備に用いる換気扇をオン／オフするための換気扇スイッチに関するものである。
【背景技術】
【０００２】
この種の換気扇スイッチとしては、換気扇をオン／オフするための操作スイッチと、操作スイッチのオン操作時から所定の動作保持時間を限時するタイマ回路と、オン操作時からタイマ回路の限時動作が終了するまでの間換気扇をオン動作させる負荷制御回路とを備えたものが従来より提供されている（例えば特許文献１参照）。
【０００３】
ところで近年、シックハウス対策として、ホルムアルデヒドを発散する建材を使用していない場合でも、家具からの発散があるため、建築物に機械換気設備（所謂常時換気設備）を設置することが義務付けられることになった。この常時換気設備に用いる換気扇は原則的に常時運転し続けるため、換気扇フィルタが目詰まりを起こすまでの期間が短く、換気扇フィルタが目詰まりを起こすと換気効率が低下するので、換気扇が所定の清掃期間運転されると、換気扇フィルタの清掃時期を使用者に知らせる表示ランプが換気扇スイッチに設けられていた。
【０００４】
このような換気扇スイッチは、換気扇の運転時間を積算する積算手段と、積算手段の積算値が所定の表示開始時間に達すると、表示ランプを点滅させて清掃時期が来たことを知らせる制御回路と、積算手段の積算値をリセットするためのリセットスイッチとを備えている。而して、換気扇が所定の表示開始時間以上運転されると、表示ランプが点滅を開始するので、使用者が表示ランプの点滅状態を見て換気扇フィルタの清掃を行う。そして、使用者が、換気扇フィルタの清掃を行った後に、リセットスイッチを用いて積算手段をリセットすると積算手段の積算値がリセットされ、その後換気扇が運転を再開すると積算手段が積算動作を再開するようになっていた。
【特許文献１】特開２００１−２２７８０４号公報
【発明の開示】
【発明が解決しようとする課題】
【０００５】
上記構成の換気扇スイッチでは、積算手段の積算値が表示開始時間に達すると、表示ランプが点滅を開始し、積算手段が運転時間の積算を停止しているので、積算手段の積算値が表示開始時間で止まっていた。そのため、表示ランプが点滅を開始した後に、表示開始時間の設定値を延長しようとしても、点滅開始時から現在までの時間を積算手段が積算していないため、延長後の表示開始時間よりも長い時間運転された後に表示ランプが点滅を開始することになり、換気扇フィルタの清掃時期を超えて運転される虞があった。
【０００６】
本発明は上記問題点に鑑みて為されたものであり、その目的とするところは、表示開始時間の設定変更に容易に対応できる換気扇スイッチを提供することにある。
【課題を解決するための手段】
【０００７】
上記目的を達成するために、請求項１の発明は、器体の内部に、換気扇への電源供給を入切する開閉素子と、器体の前面に露設された操作スイッチのオン／オフ操作に応じて開閉素子を開閉させる開閉制御手段と、換気扇の運転時間を積算する積算手段と、器体の前面に露設されたリセットスイッチの押操作に応じて積算手段の積算時間をリセットするリセット手段とを収納するとともに、器体の前面に露設した設定操作子の設定操作に応じて、清掃表示を開始する表示開始時間の設定を少なくとも含む動作設定を行う動作設定手段と、積算手段の積算時間が表示開始時間に達すると換気扇フィルタの清掃時期が来たことを表示する清掃時期表示手段とを設け、積算手段は、清掃時期表示手段が表示を行う間も運転時間の積算を継続して行う。さらに請求項１の発明は、器体の前面の略全体を覆うような寸法に形成されるとともに、リセットスイッチに対向する部位にリセットスイッチを露出させる窓孔が形成され、器体の前面に回動自在に取着されて裏面で操作スイッチを押操作自在とした操作ハンドルを備え、開閉制御手段は、操作スイッチがリセットスイッチと一緒に押操作された場合は開閉素子の開閉を行わないことを特徴とする。
【０００８】
請求項２の発明は、請求項１の発明において、動作設定手段は、換気扇フィルタの清掃時期に対応した１乃至複数の設定時間、および、動作確認を短時間で行うために清掃時期に比べて短い時間に設定された動作確認用の設定時間の中から択一的に表示開始時間を設定することを特徴とする。
【０００９】
請求項３の発明は、請求項１又は２の発明において、動作設定手段は、設定操作子の複数の切替位置に応じて動作に関わる設定が切り替わる切替スイッチからなり、何れかの切替位置を積算手段による積算動作を停止させる停止位置としたことを特徴とする。ここに、停止位置とは設定操作子をその位置に切り替えたときに積算手段が積算動作を停止するような位置のことを言う。
【００１０】
請求項４の発明は、請求項３の発明において、リセット手段は、設定操作子が停止位置に切り換えられると積算手段の積算時間をリセットすることを特徴とする。
【００１２】
請求項５の発明は、請求項１乃至３の何れかの発明において、開閉制御手段は、操作スイッチが押されてから操作スイッチが離されるまでの間にリセットスイッチからの操作入力があった場合は、操作スイッチとリセットスイッチが一緒に押操作されたと判断することを特徴とする。
【００１３】
請求項６の発明は、請求項１乃至５の何れかの発明において、清掃時期表示手段が、換気扇フィルタの清掃時期が到来したことを点灯表示する清掃時期表示ランプからなり、当該清掃時期表示ランプが、換気扇の運転／停止を点灯表示する動作表示ランプを兼用することを特徴とする。
【００１４】
請求項７の発明は、請求項１乃至６の何れかの発明において、開閉制御手段は、換気扇の運転中に操作スイッチが押操作されると、操作スイッチの操作時から所定の一時停止期間が経過するまで開閉素子をオフさせるとともに、一時停止期間が経過すると開閉素子をオンさせることを特徴とする。
【００１５】
請求項８の発明は、請求項１乃至６の何れかの発明において、風量が強弱の２段階に切替可能な換気扇に用いられ、開閉素子として、換気扇の強運転時にオンされる強動作開閉素子と、換気扇の弱運転時にオンされる弱動作開閉素子とを備え、開閉制御手段は、換気扇の停止中に操作スイッチが押操作されると弱動作開閉素子をオンさせるとともに、換気扇の運転中に操作スイッチが所定の操作時間以上連続して押操作されると両開閉素子をオフさせ、且つ、換気扇の運転中に操作スイッチが操作時間よりも短い時間だけ押操作されると、両開閉素子のオン／オフをそれぞれ反転させることで風量の強弱を切り換えることを特徴とする。
【００１６】
請求項９の発明は、請求項８の発明において、開閉制御手段は、換気扇の弱運転中に操作スイッチが操作時間よりも短い時間だけ押操作されると、弱動作開閉素子をオフ、強動作開閉素子をオンさせることによって換気扇を強運転させるとともに、強運転に切り換えてから所定の強運転時間が経過すると、強動作開閉素子をオフ、弱動作開閉素子をオンさせることによって換気扇を弱運転させることを特徴とする。
【発明の効果】
【００１７】
請求項１の発明によれば、積算手段の積算時間が予め設定された表示開始時間に達して、清掃時期表示手段が表示を開始した際に、換気扇フィルタがそれほど汚れておらず、表示開始時期間を延長したい場合、積算手段は、清掃時期表示手段が表示を開始した後も運転時間の積算を継続しているので、使用者が設定操作子を操作して表示開始時間の設定を延長すれば、清掃時期表示手段の表示が停止し、変更後の表示開始時間に積算時間が達した時点で清掃時期表示手段による表示を開始させることができ、表示開始時間の設定変更に容易に対応できるという効果がある。しかも、開閉制御手段は、操作スイッチがリセットスイッチと一緒に押操作された場合、開閉素子の開閉を行わないので、操作ハンドルの窓孔から露出するリセットスイッチを押操作する際に誤って操作ハンドルを押操作してしまい、操作スイッチとリセットスイッチが一緒に押操作される場合に開閉素子のオン／オフが切り替わるのを防止できる。
【００１８】
請求項２の発明によれば、使用者が設定操作子を操作して表示開始時間を動作確認用の設定時間に設定すれば、換気扇フィルタの清掃時期に比べて短い時間で清掃時期表示手段による表示動作を開始させることができ、動作確認を短時間で行うことができる。
【００１９】
請求項３の発明によれば、使用者が清掃時期の表示を不要に思う場合は、設定操作子を停止位置に切り替えると、動作設定手段の設定により積算手段が積算動作を停止し、清掃時期表示手段による清掃時期の表示が行われなくなるので、使い勝手がさらに向上する。
【００２０】
請求項４の発明によれば、積算手段の積算時間をリセットした後に表示開始時間の設定を変更したい場合には、動作設定手段の設定操作子を一旦停止位置に切り換えた後に、所望の設定時間に対応した切換位置に切り換えれば、積算時間のリセットと表示開始時間の再設定が行えるので、積算時間をリセットするためのスイッチを別途設ける必要が無く、そのうえ設定操作子の操作だけで済むので、操作性が向上するという効果もある。
【００２２】
請求項５の発明によれば、開閉制御手段は、操作スイッチが押されてから離されるまでの間にリセットスイッチが押される二段押しの場合でも、操作スイッチとリセットスイッチが一緒に押操作されたと判断しているので、リセットスイッチの操作中に操作ハンドルが誤操作されることによって、開閉素子のオン／オフが切り替わるのを防止できる。
【００２３】
請求項６の発明によれば、清掃時期表示ランプで動作表示ランプを兼用しているので、部品点数を増やすことなく、換気扇の運転／停止を表示する機能を追加することができる。
【００２４】
請求項７の発明によれば、換気扇の運転中に操作スイッチを押操作することによって所定の一時停止期間だけ換気扇を停止させることができ、且つ、一時停止期間が経過すると換気扇を運転状態に戻しているので、換気扇を停止させたまま、運転状態に戻し忘れるのを防止できる。
【００２５】
請求項８の発明によれば、換気扇を運転又は停止させる操作と、換気扇の風量を強又は弱に切り換える操作とを、１つの操作スイッチにより行うことができる。
【００２６】
請求項９の発明によれば、弱運転中に操作スイッチを押操作すると、換気扇の風量が強に切り換えられるので、換気能力を高めて速やかに換気を行うことができ、そのうえ所定の強運転時間が経過した後は換気扇の風量が弱に戻るので、強運転から弱運転への切替忘れを防止することができる。
【発明を実施するための最良の形態】
【００２７】
以下に本発明の実施の形態を図面に基づいて説明する。
【００２８】
（実施形態１）
本発明の実施形態１を図１〜図６に基づいて説明する。本発明に係る換気扇スイッチは、常時換気設備に用いる換気扇への電源供給を入切するために用いられるものであり、換気扇フィルタの清掃時期を表示する機能を備えている。
【００２９】
本実施形態の換気扇スイッチＡは、図１のブロック回路図に示されるように、換気扇Ｆ１と商用電源ＡＣとの直列回路が接続される一対の接続端子Ｔａ，Ｔｂを備えるとともに、例えばマイクロコンピュータからなり換気扇Ｆ１の運転時間を積算する積算タイマ１ａ（積算手段）を具備して回路全体の制御を行う制御回路１と、接続端子Ｔａ，Ｔｂ間に接続されたトライアックのような開閉素子２と、制御回路１から入力される制御信号に応じて開閉素子２をオン／オフさせることで換気扇Ｆ１への電源供給を入切する開閉駆動部３と、例えば発光ダイオードからなり制御回路１によって点灯／消灯が制御されて換気扇フィルタの清掃時期が来たことを知らせる清掃表示や換気扇Ｆ１の動作表示を行う表示ランプ４（清掃時期表示手段）と、清掃表示を開始する表示開始時間の設定を少なくとも含む動作設定を行う動作設定部５と、例えばＥＥＰＲＯＭやフラッシュメモリのような不揮発性メモリからなり後述する積算タイマの現在の積算値（ラップタイム）などを記憶するメモリ６と、制御回路１や開閉駆動部３に電源を供給する電源回路７とを主要な構成として備える。ここに、制御回路１と開閉駆動部３とで開閉制御手段が構成される。
【００３０】
制御回路１は、操作スイッチＳＷ１からの操作入力に応じて開閉駆動部３に制御信号を出力し、開閉素子２をオン／オフさせることによって換気扇Ｆ１を運転又は停止させる。また制御回路１は、換気扇Ｆ１の運転時間を積算する積算タイマ１ａを備えており、積算タイマ１ａの積算値が動作設定部５により設定された表示開始時間に達すると、表示ランプ４を点滅させて、換気扇フィルタの清掃時間が来たことを使用者に報知する。この時、表示ランプ４の表示を見た使用者が換気扇フィルタの清掃を行い、リセットスイッチＳＷ２によるリセット操作を行うと、リセット手段としての制御回路１が積算タイマ１ａの積算値をリセットしており、その後換気扇Ｆ１が運転を再開すると、積算タイマ１ａは運転時間をゼロから積算する。ここで、リセット操作に応じて積算タイマ１ａの積算値をリセットした際に、制御回路１が図示しないブザーを鳴動させたり、表示ランプ４を短い周期で２回点滅させるなどして、積算値がリセットされたことを報知するようにしても良い。清掃表示中であれば、リセットされると清掃表示を終了するので、使用者は積算値がリセットされたことを認識できるが、清掃表示を開始する前の段階でリセット操作が行われた場合には積算値がリセットされたことを認識できないため、音や光で報知することによって、使用者に対して積算値がリセットされたことを知らしめることができる。
【００３１】
また接続端子Ｔａ，Ｔｂには、ダイオードブリッジからなる全波整流器ＤＢの交流接続端子がそれぞれ接続されている。全波整流器ＤＢの直流接続端子間には、高インピーダンスの限流素子である抵抗器Ｒ１を介して電源回路７が接続されている。また抵抗器Ｒ１の両端間には、制御回路１によってオン／オフが制御されるスイッチ素子ＳＷ３と限流素子である抵抗器Ｒ２との直列回路が接続されており、抵抗器Ｒ２のインピーダンスは抵抗器Ｒ１に比べて低インピーダンスに設定されている。電源回路７は抵抗器Ｒ１又は抵抗器Ｒ２を介して供給される電流によって充電されるコンデンサのような充電要素（図示せず）を備え、充電要素の充電電圧が動作電圧として制御回路１や開閉駆動部３に供給される。
【００３２】
ここで、換気扇Ｆ１の停止時は、制御回路１が開閉駆動部３に開制御信号を出力して、開閉素子２をオフさせており、換気扇Ｆ１への電源供給を停止する。また制御回路１はスイッチ素子ＳＷ３をオフさせており、電源回路７は抵抗器Ｒ１を介して供給される充電電流によって所定電圧値まで充電され、この充電電圧が制御回路１および開閉駆動部３に供給される。なお、抵抗器Ｒ１のインピーダンスは、開閉素子２のオフ時に抵抗器Ｒ１を介して接続端子Ｔａ，Ｔｂ間に流れる電流によって換気扇Ｆ１が動作しないような高インピーダンスに設定されている。
【００３３】
一方、換気扇Ｆ１の運転時は、制御回路１が、開閉素子２を開極させた状態で、先ずスイッチ素子ＳＷ３をオンさせ、低インピーダンスの抵抗器Ｒ２を介して電源回路７のコンデンサを急速に充電する。電源回路７のコンデンサが規定の電圧まで充電されると、制御回路１は、スイッチ素子ＳＷ３をオフさせた後、開閉駆動部３に閉制御信号を出力して、開閉素子２をオンさせる。開閉素子２は負荷電流がゼロクロスするまでオン状態を継続し、この間に換気扇Ｆ１に電源が供給される。次に負荷電流のゼロクロス点で開閉素子２がオフすると、制御回路１は先ずスイッチ素子ＳＷ３をオンして電源回路７のコンデンサを急速に充電する。電源回路７の充電電圧が規定の電圧に達すると、制御回路１は、スイッチ素子ＳＷ３をオフさせた後、開閉駆動部３を用いて開閉素子２をオンさせ、負荷電流が再度ゼロクロスするまで、換気扇Ｆ１に電源を供給する。以上の動作を制御回路１が繰り返し行うことによって、電源回路７が規定の電圧に充電されて、制御回路１及び開閉駆動部３に電源が供給されるとともに、換気扇Ｆ１に電源が供給されて換気扇Ｆ１が運転状態となる。
【００３４】
このように、電源回路７では換気扇Ｆ１の停止時には接続端子Ｔａ，Ｔｂを介して流れる換気扇Ｆ１の洩れ電流から動作電源を生成し、換気扇Ｆ１の運転時には商用電源ＡＣのゼロクロス点から開閉素子２がオンするまでに、接続端子Ｔａ，Ｔｂを介して供給される電力を電源として動作電源を生成しているので、一対の接続端子Ｔａ，Ｔｂ間に商用電源ＡＣと換気扇Ｆ１との直列回路を接続することが可能になり、一般的なスイッチと同様の結線方法で配線することができる。したがって、一般的なスイッチと同様に配線設計を行うことができ、既設のスイッチに置き換えて換気扇スイッチＡを施工する作業を容易に行うことができる。
【００３５】
次に本実施形態の換気扇スイッチの構造を図３及び図４に基づいて説明する。尚、以下の説明では特に断りがないかぎり、図４（ａ）に示す向きにおいて上下左右の方向を規定し、同図（ａ）の正面を前面として説明を行う。したがって、図４（ｂ）における右端は後端となる。
【００３６】
換気扇スイッチＡの器体１０は直方体状であって、合成樹脂により前面が開口した略箱状に形成されたボディ１１と、合成樹脂により後面が開口した略箱状に形成されて、ボディ１１の開口部に被着されるカバー１２とで形成されている。すなわち、カバー１２の上下面の後端縁からは後方に向かって各一対の組立片１２ａが延設され、組立片１２ａに設けた組立孔１２ｂがボディ１１の上下両面に形成してある組立突起１１ａに係合することによって、ボディ１１とカバー１２とが結合されている。
【００３７】
器体１０は埋込配線器具を造営面に埋込配設する際に用いる従来周知の取付枠（図示せず）に取着可能であって、その左右方向の寸法は取付枠が備える窓孔の左右方向寸法（短手方向寸法）と略等しい寸法に形成されている。また器体１０の前部を形成するカバー１２の左右両側面には、取付枠の窓孔を囲む左右両側片に設けた器具取付孔（図示せず）に係合可能な取付爪１３が一対ずつ突設してあり、取付爪１３が取付枠の器具取付孔に係合することによって、器体１０が取付枠に保持されるようにしてある。なおカバー１２の左右方向における一方の側壁（右側壁）には、一対の取付爪１３が突設された部位の上下両側部に、後端が開放された２本の切り込み溝１４がそれぞれ形成されており、２本の切り込み溝１４の間の部位は厚み方向に可撓性を有する撓み片１５を形成している。カバー１２内において撓み片１５の裏面側には空所が形成され、撓み片１５をカバー１２の内側に撓ませることによって、撓み片１５に設けられた一対の取付爪１３をカバー１２の側面から弾性的に後退させることが可能となっている。なお撓み片１５の後端部外側面には撓み片１５の押し込みを容易にするために操作突起１５ａが突設されている。
【００３８】
而して器体１０を取付枠に取り付ける際には、カバー１２の左側壁に設けた取付爪１３を取付枠の器具取付孔に挿入するとともに、右側壁に設けた取付爪１３をカバー１２の側面から後退させるようにして取付枠の窓孔に器体１０を挿入すれば、右側壁の取付爪１３が器具取付孔に挿入されて器体１０が取付枠に保持される。また撓み片１５をカバー１２の内側に押し込むようにすれば、撓み片１５に設けた取付爪１３が器具取付孔から抜けるので、器体１０を取付枠から容易に取り外すことができる。
【００３９】
ところで、上述の取付枠は、単位モジュール寸法（１個モジュール寸法）の埋込型配線器具を短幅方向に３個並べて取付可能な１連の取付枠であって、換気扇スイッチＡの器体１０は２個モジュール寸法（単位モジュール寸法の埋込配線器具を短幅方向に２個並べたのと略同じ寸法）に形成されており、図３（ａ）に示すように１個モジュール寸法に形成されたスイッチなどの他の配線器具Ｂと並設することができる。なお取付枠は壁面などの造営面に取り付けられ、器体１０の後部は造営面に開口する取付穴に埋設される。また取付枠の前面側には、取付枠の窓孔よりも長寸かつ幅広の窓孔５１を備える化粧プレート５０が重ね合わせて配置され、この化粧プレート５０の窓孔５１から換気扇スイッチＡの機能面や配線器具Ｂの機能面が露出するようになっている。
【００４０】
器体１０の内部には、上述した図１の回路を構成する回路部品や、外部電線を接続するための複数の端子などを実装したプリント配線板（図示せず）が収納されている。プリント配線板に実装される個々の端子は、ボディ１１の後壁に形成された電線挿入孔１６を通して器体１０内に挿入される外部電線を、導電性を有する板ばねからなる鎖錠ばねのばね力によって接続保持する速結端子（図示せず）で構成してある。また鎖錠ばねを押圧して電線の鎖錠状態を解除するための解除釦（図示せず）も器体１０内に収納されており、ボディ１１の後壁には解除釦を操作するための操作孔１７が電線挿入孔１６の近傍に形成してある。なお複数の端子としては上述した接続端子Ｔａ，Ｔｂがある。
【００４１】
器体１０（つまりカバー１２）の前面には、タクトスイッチからなる操作スイッチＳＷ１の押釦（図示せず）と、動作設定部５の設定操作子である回転摘み１８と、タクトスイッチからなるリセットスイッチＳＷ２の押釦１９と、表示ランプ４とが、カバー１２に開口した窓孔（図示せず）を通して露出している。なお、回転摘み１８と操作スイッチＳＷ１の押釦と押釦１９とは、カバー１２前面の左右方向略中央に上下に並べて配置されており、表示ランプ４はカバー１２前面の左端部に配置されている。
【００４２】
また器体１０の前面側には、操作スイッチＳＷ１の押釦を裏面で押操作するための操作ハンドル２０が器体１０前面の略全体を覆う形で回動自在に取着されている。すなわちカバー１２前面の左側端部には、操作ハンドル２０を枢着するための軸部（図示せず）が設けられており、この軸部に操作ハンドル２０後面の左端部に設けた軸受部（図示せず）を枢支させることで、操作ハンドル２０が器体１０に対して回動自在に取着される。軸受部には操作ハンドル２０を反操作方向に付勢するための付勢ばね（図示せず）を設けてあり、操作ハンドル２０は図４（ｄ）中の左回りに付勢されている。而して操作ハンドル２０の右側部に押力が加わると、操作ハンドル２０が軸部を支点に回動し、操作ハンドル２０の後面に設けた押突起（図示せず）によって操作スイッチＳＷ１の押釦が押されて、操作スイッチＳＷ１がオンになる。一方、操作ハンドル２０の右側部を押す力が無くなると、操作ハンドル２０は付勢ばねや操作スイッチＳＷ１の押釦の反力を受けて復帰位置に戻り、操作スイッチＳＷ１がオフになる。
【００４３】
操作ハンドル２０は合成樹脂により矩形板状に形成されており、左右方向の寸法が化粧プレート５０の窓孔５１の左右方向（短手方向）寸法と略同じ寸法に形成され、上下方向の寸法が窓孔５１の上下方向（長手方向）寸法の略３分の２の寸法に形成されている。操作ハンドル２０前面の左端部には前方に突出する突台部２１が上下方向に沿って形成されている。突台部２１よりも右側の薄肉部２５には、回転摘み１８と押釦１９とをそれぞれ露出させる開口窓２２ａ，２２ｂが貫設されており、回転摘み１８を露出させる開口窓２２ａの周部には回転摘み１８の切換位置を示す銘板２８が貼着などの方法で取着されている。動作設定部５としては例えば複数の切替位置を有するロータリスイッチやロータリ式の可変抵抗器を用いており、回転摘み１８の回転位置に応じて動作に関わる設定が切り換えられるようになっている。銘板２８には、図３（ｂ）に示すように回転摘み１８の切換位置をそれぞれ示す複数の目盛と、各々の切替位置に対応した動作状態や表示開始時間を示す文字および数字（例えば「切」、「テスト（１０秒）」、「１０」、「２０」…）が印刷などによって記載されている。例えば回転摘み１８を左回りに一杯まで回して、回転摘み１８のマーク１８ａを「切」の位置（停止位置）に合わせると、積算タイマ１ａによる積算動作を停止させる状態となる。また回転摘み１８を「切」の位置から右回りに１目盛分回転させて、回転摘み１８のマーク１８ａを「テスト（１０秒）」の位置に合わせると、換気扇フィルタの清掃時期に比べて十分短い動作確認用の時間（例えば１０秒）に表示開始時間が設定される。また回転摘み１８を「テスト（１０秒）」の位置からさらに右回りに回転させて、回転摘み１８のマーク１８ａを「１０」、「２０」…「１４０」の位置に合わせると、表示開始時間がそれぞれ１０日、２０日…１４０日に設定される。なお銘板２８の記載内容は上記の形態に限定されるものではなく、表示開始時間を１ヶ月単位で表示しても良いし、動作内容や表示開始時間の設定値に合わせて適宜設定すれば良い。
【００４４】
また突台部２１の上下方向における略中央部には貫通孔２４が形成され、この貫通孔２４には透光性を有する合成樹脂により形成された導光部材２３が嵌め込まれている。導光部材２３の裏面は、カバー１２の前面に露出した表示ランプ４と対向しており、表示ランプ４の光が導光部材２３を通して操作ハンドル２０の前面側に出射されるようになっている。
【００４５】
また操作ハンドル２０には、回転摘み１８や押釦１９が露出する部位を開閉自在に覆うハンドルカバー２６が取着されている。ハンドルカバー２６は左右方向及び上下方向の寸法が、それぞれ、薄肉部２５の左右方向及び上下方向の寸法と略同じ寸法に形成されている。そして、このハンドルカバー２６の左側部の上下両端部からは側方に向かって突出する一対のアーム２７，２７が突設され、各アーム２７の先端部には、突台部２１の上下両面に設けた軸穴（図示せず）に枢支される軸２７ａが突設されている。而して、各アーム２７の軸２７ａを突台部２１の軸穴に枢支させることで、ハンドルカバー２６が開口窓２２ａ，２２ｂを露出させる状態と、開口窓２２ａ，２２ｂを覆う状態とを選択自在として操作ハンドル２０の前面に取着されている。なおハンドルカバー２６は、例えば操作ハンドル２０に保持させた鉄片を、ハンドルカバー２６の裏面に取着した永久磁石の磁力で吸着することによって、閉じた状態を保持するようになっており、操作ハンドル２０とハンドルカバー２６とでハンドル部材３０を構成している。
【００４６】
ここで、ハンドルカバー２６を開けた状態では、リセットスイッチＳＷ２の押釦１９および動作設定部５の回転摘み１８が露出するので、表示時間の設定やリセット操作が行えるようになっている。一方、リセット操作時や動作設定時以外は押釦１９および回転摘み１８がハンドルカバー２６によって覆われるので、不用意に押釦１９や回転摘み１８が操作されて、積算値がリセットされたり、表示時間が変更されるのを防止できる。またハンドルカバー２６を閉じると、押釦１９が隠されるので、換気扇Ｆ１をオン／オフするスイッチと間違えてリセットスイッチＳＷ２の押釦１９が操作されるのを防止できる。
【００４７】
次に換気扇スイッチＡの動作について説明する。この換気扇スイッチＡは、常時換気設備に用いる換気扇Ｆ１のオン／オフ制御を行うために用いられ、積算タイマ１ａの積算値（つまり換気扇Ｆ１の運転時間）が所定の表示開始時間に達すると、表示ランプ４を点滅させて使用者に換気扇フィルタの清掃を促すものである。初期使用時およびリセット状態では積算タイマ１ａの積算値がリセットされ、ゼロになっている。この状態で制御回路１が操作スイッチＳＷ１からの操作入力に応じて開閉駆動部３に閉制御信号を出力すると、換気扇Ｆ１に電源が供給されて、換気扇Ｆ１が運転状態となる。また制御回路１は積算タイマ１ａによる積算動作を開始させ、積算タイマ１ａが換気扇Ｆ１の運転時間を積算する。
【００４８】
ここで、図２のフロー図を参照して運転時間の積算や清掃表示に関わる動作をより詳細に説明する。制御回路１は割込タイマ（図示せず）を有しており、割込タイマがマイクロコンピュータからなる制御回路１に入力されるクロックパルスＣＰをカウントし、クロックパルスＣＰの個数が一定値に達すると、つまり一定の周期Ｘが経過すると、後述の割込処理を制御回路１に実行させる（図２のＳ１）。制御回路１が割込処理ルーチンを実行すると、先ず換気扇Ｆ１の運転／停止を表す運転制御フラグの値を確認し（図２のＳ２）、運転制御フラグの値が「０」（停止中）であれば、割込処理を終了する（図２のＳ３）。一方、運転制御フラグの値が「１」（運転中）であれば、制御回路１は積算タイマ１ａの積算値を１増やし（図２のＳ４）、現在の積算値（つまり現在までの運転時間）をメモリ６に記憶させた後、積算タイマ１ａの積算値（カウンタ値）と、動作設定部５により設定される動作表示時間に対応した設定値との大小を比較する（図２のＳ５）。ここで、積算タイマ１ａの積算値が設定値よりも小さければ、すなわち運転時間の積算値が表示開始時間に達していなければ、制御回路１は清掃表示フラグの値を「０」に設定し（図２のＳ６）、表示ランプ４による清掃表示を行わずに割込処理を終了する（図２のＳ７）。一方、積算タイマ１ａの積算値が設定値以上であれば、すなわち運転時間の積算値が表示開始時間に達していれば、制御回路１は清掃表示フラグの値を「１」に設定し（図２のＳ８）、表示ランプ４を点滅させることで清掃表示を行わせた後、割込処理を終了する（図２のＳ７）。
【００４９】
以上のように運転時間が表示開始時間に達すると表示ランプ４による清掃表示が行われるのであるが、この清掃表示を見た使用者が換気扇フィルタを清掃するためにハンドル部材３０を用いて停止操作を行うと、制御回路１が操作スイッチＳＷ１からの操作入力に基づいて換気扇Ｆ１を停止させるとともに、表示ランプ４を消灯させて清掃表示を終了する。その後、使用者が換気扇フィルタを清掃し、リセットスイッチＳＷ２の押釦１９を押操作すると、制御回路１は、リセットスイッチＳＷ２からの操作入力に基づいて、積算タイマ１ａの積算値をリセットする。そして、リセット操作後に使用者がハンドル部材３０を押操作し、制御回路１が操作スイッチＳＷ１からの操作入力に応じて換気扇Ｆ１の運転を再開させると、積算タイマ１ａが運転時間をゼロから積算するのである。なお制御回路１では、停電発生時に積算タイマ１ａの積算値が失われるのを防止するために、積算タイマ１ａの積算値（ラップタイム）をメモリ６に逐次記憶させており、復電時にはメモリ６から読み込んだ積算値を初期値として積算タイマ１ａにより積算を開始させている。
【００５０】
また制御回路１では、表１に示すように運転状態フラグの値と清掃表示フラグの値とに基づいて表示ランプ４の点灯状態を決定しており、運転状態フラグの値が「０」であれば、つまり換気扇Ｆ１が停止中であれば表示ランプ４を消灯させて、換気扇Ｆ１の停止表示を行う。一方、運転状態フラグの値が「１」の場合（換気扇Ｆ１が運転中の場合）、制御回路１は、清掃表示フラグが「０」であれば、表示ランプ４を点灯させて換気扇Ｆ１の運転表示を行い、清掃表示フラグが「１」であれば、表示ランプ４を点滅させて換気扇フィルタの清掃時期を知らせる清掃表示を行う。つまり本実施形態では１個の表示ランプ４で、換気扇Ｆ１の運転／停止の表示と、換気扇フィルタの清掃表示の両方を行っており、清掃時期表示ランプとしての表示ランプ４が動作表示ランプを兼用しているので、部品数を削減できるという利点がある。
【００５１】
【表１】
0004770371.tif 000002
【００５２】
ところで、積算タイマ１ａの積算時間が予め設定された表示開始時間に達して、制御回路１が表示ランプ４による清掃表示を開始させた際に、この表示を見た使用者が換気扇フィルタを清掃しようとしたところ、換気扇フィルタがそれ程汚れていなかったため、換気扇フィルタの清掃をやめて、表示開始時間を延長したい場合がある。本実施形態では、制御回路１が所定の周期毎に上記の割込処理を実行し、換気扇Ｆ１が運転中であれば積算タイマ１ａの積算値を１増やしているので、清掃表示を行っているか否かに関係なく、換気扇Ｆ１が運転状態であれば運転時間の積算を常に行っている。したがって、清掃表示を開始した後に、使用者が動作設定部５の回転摘み１８を操作して、表示開始時間を現在の積算値よりも長い時間に設定すれば、設定変更後に上記割込処理が実行された際に、制御回路１が、積算タイマ１ａの積算値と、変更後の表示開始時間に対応した設定値との大小を比較することで、清掃表示を行うか否かを再度判断することができる。この時、積算タイマ１ａの積算値が変更後の設定値よりも小さければ、制御回路１は表示ランプ４の清掃表示を停止させ、積算タイマ１ａの積算値が変更後の設定値に達した時点で、制御回路１が表示ランプ４による清掃表示を再開させるので、表示開始時間の設定変更にも容易に対応でき、換気扇スイッチの使い勝手を向上させることができる。
【００５３】
なお、使用者によっては換気扇フィルタの清掃時期の表示が不要な場合もあるので、本実施形態では動作設定部５の切替位置に、積算タイマ１ａによる積算動作を停止する停止位置を設けてある。すなわち動作設定部５の回転摘み１８を左回りに一杯まで回して、回転摘み１８のマーク１８ａを「切」の位置に合わせると、制御回路１は、動作設定部５の設定に応じて積算タイマ１ａによる積算動作を停止させており、清掃時期の表示機能を停止させることができる。また回転摘み１８のマーク１８ａを「切」の位置に合わせた際に、制御回路１が積算タイマ１ａによる積算動作を停止させるとともに、積算タイマ１ａの積算値をゼロにリセットしても良い。この場合、使用者は動作設定部５の回転摘み１８を停止位置（「切」の位置）に合わせた後に、所望の表示開始時間に対応する位置まで回転摘み１８を回転させれば、積算時間のリセットと表示開始時間の再設定が行えるので、積算時間をリセットするためのリセットスイッチＳＷ２を別途設ける必要が無くなり、図６に示すようにリセットスイッチＳＷ２の押釦１９を無くすことができる。また回転摘み１８の操作だけで、リセット操作と表示開始時間の再設定が行えるので、操作性も向上する。
【００５４】
また、本実施形態では、清掃表示の動作確認を短時間で行えるように、動作設定部５により、換気扇フィルタの清掃時期（最短で１０日）に比較して十分短い時間（例えば１０秒）に表示開始時間を設定できるようにしてある。すなわち動作設定部５の回転摘み１８を回転させ、回転摘み１８のマーク１８ａを「テスト（１０秒）」の位置に合わせると、制御回路１は、動作設定部５の設定に応じて表示開始時間を１０秒に設定する。そして、リセット操作を行うなどして積算タイマ１ａの積算値をゼロにした状態から換気扇Ｆ１を運転させると、積算タイマ１ａの積算値が１０秒に達した時点で制御回路１が表示ランプ４を点滅させるので、換気扇フィルタの清掃時期（数日から数十日）に比べて遙かに短い時間で清掃表示の動作確認を行うことができる。
【００５５】
また、本実施形態の換気扇スイッチＡは常時換気設備に用いる換気扇Ｆ１をオン／オフするためのものであり、原則的に換気扇Ｆ１は常時運転されるものなので、換気扇Ｆ１が不用意にオフされないようになっている。すなわち図８（ａ）の状態遷移図に示すように、換気扇Ｆ１の運転中に（図中の状態Ｄ１）、ハンドル部材３０が所定の操作時間（例えば３秒間）以上連続押しされて、操作スイッチＳＷ１が上記操作時間以上連続してオン状態になると（図中の操作Ｅ１）、制御回路１が開閉駆動部３に開制御信号を出力して、換気扇Ｆ１を停止させる（図中の状態Ｄ２）。一方、換気扇Ｆ１の停止中に、ハンドル部材３０が押操作されると（図中の操作Ｅ２）、制御回路１に操作スイッチＳＷ１からの操作入力が与えられ、制御回路１が開閉駆動部３に閉制御信号を出力して、換気扇Ｆ１を運転させる（図中の状態Ｄ１）。なお、換気扇Ｆ１の運転中にハンドル部材３０が押操作されたとしても、ハンドル部材３０を押操作する時間が上記操作時間未満であれば（図中の操作Ｅ３）、制御回路１は開閉駆動部３に開制御信号を出力せず、換気扇Ｆ１を運転し続けており、換気扇Ｆ１の停止操作が誤って行われるのを防止できる。
【００５６】
また本実施形態では、リセットスイッチＳＷ２の押釦１９が、操作ハンドル２０に貫設した開口窓２２ｂから露出しているので、リセットスイッチＳＷ２を押操作しようとして、操作ハンドル２０が誤って押操作される場合があり、操作スイッチＳＷ１からの操作入力によって換気扇Ｆ１が運転又は停止される可能性がある。そこで、本実施形態では、リセットスイッチＳＷ２と操作スイッチＳＷ１とが一緒に押操作されて、両スイッチＳＷ１，ＳＷ２からの操作入力が制御回路１に同時に与えられた場合、制御回路１が、操作スイッチＳＷ１からの操作入力をキャンセルして、開閉駆動部３に制御信号を出力しないようにしており、誤操作によって開閉素子２のオン／オフが切り替わるのを防止している。
【００５７】
図５（ａ）は操作スイッチＳＷ１およびリセットスイッチＳＷ２からの操作入力を示しており、制御回路１では、ノイズを操作入力と誤検出するのを防止するため、各スイッチＳＷ１，ＳＷ２のオン状態が一定時間ｔｆ以上継続すると、各スイッチＳＷ１，ＳＷ２が押操作されたと判断している。ここで、時刻ｔ１において操作スイッチＳＷ１とリセットスイッチＳＷ２とが同時に押されたために、両スイッチＳＷ１，ＳＷ２からの操作信号が同時にオン状態になった場合、制御回路１では、一定時間ｔｆが経過した時刻ｔ２において、各スイッチＳＷ１，ＳＷ２が押操作されたと判断し、両スイッチＳＷ１，ＳＷ２が一緒に押操作されていることから、操作スイッチＳＷ１の操作入力をキャンセルし、リセットスイッチＳＷ２の操作入力を優先的に確定する。従って、両スイッチＳＷ１，ＳＷ２が同時に押操作された場合には、操作スイッチＳＷ１からの操作入力がキャンセルされるから、誤操作によって換気扇Ｆ１の運転／停止が切り替わることはない。
【００５８】
なお制御回路１が、各スイッチＳＷ１，ＳＷ２からの操作入力の立ち上がりのみから同時押しを判断していると、リセットスイッチＳＷ２を押操作しようとして、先ず操作スイッチＳＷ１が押操作された後に、リセットスイッチＳＷ２が押操作されるような２段押しが発生した場合に同時押しを検出できない可能性がある。すなわち図５（ｂ）に示すように時刻ｔ３において操作スイッチＳＷ１が押操作されてから、一定時間ｔｆよりも長い時間が経過てからリセットスイッチＳＷ２が押操作された場合、操作スイッチＳＷ１の操作入力が確定した時刻ｔ４においてはリセットスイッチＳＷ２が押操作されていないので、制御回路１は両スイッチの同時押しを判別できず、操作スイッチＳＷ１からの操作入力に応じて換気扇Ｆ１の運転／停止を切り換えてしまう可能性がある。
【００５９】
そこで、制御回路１では、図５（ｃ）に示すように時刻ｔ５に操作スイッチＳＷ１が押されてから、時刻ｔ８に操作スイッチＳＷ１が離されるまでの間に、リセットスイッチＳＷ２からの操作入力があると、制御回路１は両スイッチＳＷ１，ＳＷ２が同時押しされたと判断し、操作スイッチＳＷ１からの操作入力をキャンセルするようにしても良い。すなわち、操作スイッチＳＷ１の操作入力が確定した後の時刻ｔ６にリセットスイッチＳＷ２が押操作され、この操作入力が確定した時刻ｔ７において、制御回路１は両スイッチＳＷ１，ＳＷ２が同時押しされたと判断し、操作スイッチＳＷ１からの操作入力をキャンセルして開閉素子２のオン／オフを行わず、リセットスイッチＳＷ２からの操作入力に基づいて積算タイマ１ａの積算値をリセットする。したがって、制御回路１では、操作スイッチＳＷ１が押されてから離されるまでの間にリセットスイッチＳＷ２が押される二段押しの場合でも、操作スイッチＳＷ１とリセットスイッチＳＷ２とが一緒に押操作されたと判断することができ、このような二段押し操作によって開閉素子２のオン／オフが切り替わるのを防止できる。
【００６０】
（実施形態２）
本発明の実施形態２を図７及び図８に基づいて説明する。本実施形態では、実施形態１の換気扇スイッチＡに、一時的に換気扇Ｆ１を停止させた後、自動的に運転状態に戻す一時停止タイマの機能を付加してある。尚、一時停止タイマの機能を付加した点以外は実施形態１と同様であるので、共通する構成要素には同一の符号を付して、その説明は省略する。
【００６１】
本実施形態では、制御回路１の制御モードを、一時停止タイマの機能を停止するモードと、一時停止タイマの一時停止期間を３０分に設定するモードと、一時停止期間を６０分に設定するモードとに切り換えるモード切替スイッチ（図示せず）を設けている。モード切替スイッチは例えばスライドスイッチからなり、このスライドスイッチのスライド摘み２９を器体１０の前面に配置し、操作ハンドル２０に設けた開口窓２２ｃを通して操作ハンドル２０の前面側に露出させている（図７参照）。而してハンドルカバー２６を開いた状態でスライド摘み２９を操作することができ、一時停止タイマの制御モードを切替可能になっている。
【００６２】
次に本実施形態の動作について説明する。モード切替スイッチのスライド摘み２９が一時停止タイマの機能を停止する位置（「切」の位置）に切り換えられた場合の状態遷移図は図８（ａ）のようになり、この場合の動作は実施形態１で説明したのと同様であるので、その説明は省略し、一時停止期間を３０分又は６０分に設定する位置にスライド摘み２９が切り換えられた場合の動作を図８（ｂ）に基づいて説明する。
【００６３】
換気扇Ｆ１の運転中に（図中の状態Ｄ１）、ハンドル部材３０が所定の操作時間（例えば３秒間）よりも短い時間だけ押操作されると（図中の操作Ｅ４）、制御回路１は切タイマ（図示せず）により一時停止期間（３０分又は６０分）の限時動作を開始させるとともに、開閉駆動部３に開制御信号を出力して、換気扇Ｆ１を一時停止させる（図中の状態Ｄ３）。切タイマの限時動作が終了するか（図中の動作Ｅ７）、或いは、限時動作中にハンドル部材３０が所定の操作時間よりも短い時間だけ押操作されると（図中の操作Ｅ５）、制御回路１は開閉駆動部３に閉制御信号を出力して、換気扇Ｆ１を運転状態に移行させる（図中の状態Ｄ１）。換気扇Ｆ１の運転中や一時停止中（図中の状態Ｄ１，Ｄ３）に、ハンドル部材３０が所定の操作時間以上連続押しされて、操作スイッチＳＷ１が上記操作時間以上連続してオン状態になると（図中の操作Ｅ１，Ｅ６）、制御回路１は開閉駆動部３に開制御信号を出力して、換気扇Ｆ１を停止させる（図中の状態Ｄ２）。また、換気扇Ｆ１の停止中に、ハンドル部材３０が押操作されると（図中の操作Ｅ２）、制御回路１は、開閉駆動部３に閉制御信号を出力し、換気扇Ｆ１を運転状態に移行させる（図中の状態Ｄ１）。
【００６４】
ところで、浴室用の常時換気設備として設置された換気扇Ｆ１のスイッチとして本実施形態の換気扇スイッチＡを使用する場合、常時は換気扇Ｆ１を運転させ、冬場の入浴時などには換気扇Ｆ１を停止させるといった使われ方をする場合がある。一時停止タイマ機能がない換気扇スイッチＡでは、入浴前にハンドル部材３０を操作して換気扇Ｆ１を停止させるとともに、入浴後にハンドル部材３０を操作して換気扇Ｆ１の運転を再開させる必要があるが、入浴後の操作を忘れると換気扇Ｆ１が停止したままとなり、常時換気が行えなくなる。それに対して本実施形態は上述の一時停止タイマ機能を備え、換気扇Ｆ１を定常的に運転させておき、入浴前にハンドル部材３０が押操作されると、制御回路１は押操作時から所定の一時停止期間が経過するまで換気扇Ｆ１を停止させるとともに、一時停止期間が経過した時点で換気扇Ｆ１の運転を再開させているので、換気扇Ｆ１を停止させたままで運転状態に戻し忘れるのを防止でき、使い勝手も向上する。
【００６５】
（実施形態３）
本発明の実施形態３を図９および図１０に基づいて説明する。上述の実施形態１は風量が固定の換気扇Ｆ１のスイッチとして用いられているが、本実施形態は風量が強弱の２段階に切替可能な換気扇Ｆ２に用いられる。本実施形態の基本的な構成は実施形態１と同様であるので、共通する構成要素には同一の符号を付して、その説明は省略する。なお本実施形態の換気扇スイッチＡにおいて、実施形態２で説明した一時停止タイマの機能を付加しても良いことは言うまでもない。
【００６６】
換気扇Ｆ２は風量が強弱２段階に切替可能であり、共通接続端子と強接続端子との間に商用電源ＡＣが接続されると、風量が強に切り換えられ、共通接続端子と弱接続端子との間に商用電源ＡＣが接続されると、風量が弱に切り換えられるようになっている。
【００６７】
本実施形態の換気扇スイッチＡは３個の接続端子Ｔａ〜Ｔｃを備えており、接続端子Ｔｂ，Ｔｃにそれぞれ換気扇Ｆ２の強接続端子と弱接続端子とを接続してある。また接続端子Ｔａ，Ｔｂ間に接続された強開閉素子２ａ（強動作開閉素子）と、接続端子Ｔａ，Ｔｃ間に接続された弱開閉素子２ｂ（弱開閉素子）とを備え、制御回路１から入力される制御信号に応じて開閉駆動部３が両開閉素子２ａ，２ｂを個別にオン／オフ駆動している。ここで、強開閉素子２ａがオン、弱開閉素子２ｂがオフになると、換気扇Ｆ２の共通接続端子と強接続端子との間に商用電源ＡＣが接続されて換気扇Ｆ２が強運転し、強開閉素子２ａがオフ、弱開閉素子２ｂがオンになると、換気扇Ｆ２の共通接続端子と弱接続端子との間に商用電源ＡＣが接続されて換気扇Ｆ２が弱運転するのである。なお強運転とは運転状態において風量が強に切り換えられた状態を言い、弱運転とは運転状態において風量が弱に切り換えられた状態を言う。
【００６８】
この換気扇スイッチＡの動作を図１０の状態遷移図に基づいて説明する。換気扇Ｆ２は常時換気設備として用いられており、換気扇Ｆ２の弱運転時に（図中の状態Ｄ４）、ハンドル部材３０が所定の操作時間（例えば３秒間）よりも短い時間だけ押操作されると（図中の操作Ｅ８）、制御回路１は開閉駆動部３を用いて強開閉素子２ａをオン、弱開閉素子２ｂをオフさせて、換気扇Ｆ２を強運転させる（図中の状態Ｄ５）。また換気扇Ｆ２の強運転時に（図中の状態Ｄ５）、ハンドル部材３０が所定の操作時間よりも短い時間だけ押操作されると（図中の操作Ｅ９）、制御回路１は開閉駆動部３を用いて強開閉素子２ａをオフ、弱開閉素子２ｂをオンさせて、換気扇Ｆ２を弱運転させる（図中の状態Ｄ４）。すなわち換気扇Ｆ２の運転中はハンドル部材３０を短時間押操作する毎に、両開閉素子２ａ，２ｂのオン／オフがそれぞれ反転して、換気扇Ｆ２の風量が強又は弱に交互に切り換えられるのである。一方、換気扇Ｆ２が強風又は弱風で運転中に（図中の状態Ｄ４，Ｄ５）、ハンドル部材３０が所定の操作時間以上連続押しされると（図中の操作Ｅ１０，Ｅ１１）、制御回路１が開閉駆動部３を用いて両開閉素子２ａ，２ｂをオフさせ、換気扇Ｆ２を停止させる（図中の状態Ｄ２）。また換気扇Ｆ２の停止中に、ハンドル部材３０が押操作されると（図中の操作Ｅ１２）、制御回路１が開閉駆動部３を用いて強開閉素子２ａをオフ、弱開閉素子２ｂをオンさせ、換気扇Ｆ２を弱運転させる（図中の状態Ｄ４）。
【００６９】
以上説明したように本実施形態では換気扇Ｆ２の運転中にハンドル部材３０を所定時間より短い時間だけ押操作すると、換気扇Ｆ２の風量が強又は弱に交互に切り換えられ、且つ、ハンドル部材３０を所定時間以上長押しすると換気扇Ｆ２が停止し、さらに換気扇Ｆ２の停止中にハンドル部材３０を押操作すると、換気扇Ｆ２が弱運転するので、換気扇Ｆ２を運転又は停止させる操作と、換気扇Ｆ２の風量を強又は弱に切り換える操作とを、１つのハンドル部材３０（つまり操作スイッチＳＷ１）で行うことができ、操作性が向上するとともに、部品数を減らすことができる。
【００７０】
（実施形態４）
本発明の実施形態４を図１１〜図１３に基づいて説明する。上述の実施形態３ではハンドル部材３０の押操作に応じて換気扇Ｆ２の風量を強又は弱に切り換えているのに対して、本実施形態では図１１に示すように換気扇Ｆ２の風量を強又は弱に設定する強弱切替スイッチＳＷ４を設けている。強弱切替スイッチＳＷ４は例えばスライドスイッチからなり、このスライドスイッチのスライド摘み３１を器体１０の前面に配置し、操作ハンドル２０に設けた開口窓２２ｃを通して操作ハンドル２０の前面側に露出させている（図１２参照）。なお、強弱切替スイッチＳＷ４およびスライド摘み３１以外の構成は実施形態３と同様であるので、共通する構成要素には同一の符号を付して、その説明は省略する。
【００７１】
この換気扇スイッチＡの動作を図１３の状態遷移図に基づいて説明する。先ず強弱切替スイッチＳＷ４のスライド摘み３１を「強」の位置に切り換えた場合の動作を以下に説明する。換気扇Ｆ２が強運転している状態で（図中の状態Ｄ４）、ハンドル部材３０が所定の操作時間（例えば３秒間）以上連続押しされると（図中の操作Ｅ１３）、制御回路１は開閉駆動部３を用いて強開閉素子２ａをオフさせ、換気扇Ｆ２を停止させる（図中の状態Ｄ２）。換気扇Ｆ２の停止中に、ハンドル部材３０が押操作されると（図中の操作Ｅ１４）、制御回路１が開閉駆動部３を用いて強開閉素子２ａをオンさせて、換気扇Ｆ２を強運転させる（図中の状態Ｄ４）。また換気扇Ｆ２の運転中にハンドル部材３０が押操作されたとしても、ハンドル部材３０を押操作する時間が上記操作時間未満であれば（図中の操作Ｅ１５）、制御回路１は換気扇Ｆ２を強運転させ続けており、誤操作によって換気扇Ｆ２が停止されるのを防止できる。
【００７２】
次に強弱切替スイッチＳＷ４のスライド摘み３１を「弱」の位置に切り換えた場合の動作を以下に説明する。換気扇Ｆ２が弱運転している状態で（図中の状態Ｄ５）、ハンドル部材３０が上記操作時間以上連続押しされると（図中の操作Ｅ１６）、制御回路１が開閉駆動部３を用いて弱開閉素子２ｂをオフさせ、換気扇Ｆ２を停止させる（図中の状態Ｄ２）。換気扇Ｆ２の停止中に、ハンドル部材３０が押操作されると（図中の操作Ｅ１７）、制御回路１が開閉駆動部３を用いて弱開閉素子２ｂをオンさせて、換気扇Ｆ２を弱運転させる（図中の状態Ｄ５）。また換気扇Ｆ２の運転中に、ハンドル部材３０が押操作されたとしても、ハンドル部材３０を押操作する時間が上記操作時間未満であれば（図中の操作Ｅ１８）、制御回路１は換気扇Ｆ２を弱運転させ続けており、誤操作によって換気扇Ｆ２が停止されるのを防止できる。
【００７３】
このように本実施形態では強弱切替スイッチＳＷ４を用いて換気扇Ｆ２の風量を予め設定しておけば、ハンドル部材３０の操作に応じて換気扇Ｆ２が予め設定された風量で運転するか、或いは、停止するので、例えば季節が切り替わる時期にしか風量の設定を変更しない場合のように、１年に２回ほどしか風量の切替を行わない場合には、ハンドルカバー２６を閉じて強弱切替スイッチＳＷ４を隠しておくことで、風量が不用意に切り換えられるのを防止することができる。
【００７４】
（実施形態５）
本発明の実施形態５を図１４〜図１６に基づいて説明する。本実施形態では、上述した実施形態３の換気扇スイッチＡにおいて、換気扇Ｆ２を常時は弱運転させるとともに、ハンドル部材３０の操作に応じて換気扇Ｆ２を所定の強運転時間だけ強運転させたのち、換気扇Ｆ２を弱運転に戻す強運転タイマの機能を付加してある。本実施形態は、強運転タイマの機能を付加した点以外は実施形態３と同様であるので、共通する構成要素には同一の符号を付して、その説明は省略する。尚、上述した実施形態４の換気扇スイッチＡに、本実施形態の強運転タイマ機能を付加しても良いことは言うまでもない。
【００７５】
本実施形態では、図１４に示すように制御回路１の制御モードを、強運転タイマの機能を停止するモードと、強運転タイマの強運転時間を例えば３時間に設定するモードと、強運転時間を例えば６時間に設定するモードとに切り換える強タイマ設定スイッチＳＷ５を設けている。強タイマ設定スイッチＳＷ５は例えばスライドスイッチからなり、このスライドスイッチのスライド摘み３２を器体１０の前面に配置し、操作ハンドル２０に設けた開口窓２２ｃを通して操作ハンドル２０の前面側に露出させている（図１５参照）。而してハンドルカバー２６を開いた状態でスライド摘み３２を操作することができ、強運転タイマの動作モードを切替可能になっている。
【００７６】
次に本実施形態の動作について説明する。強タイマ設定スイッチＳＷ５のスライド摘み３２が強運転タイマの機能を停止する位置（「切」の位置）に切り換えられた場合の状態遷移図は図１０のようになり、この場合の動作は実施形態３で説明したのと同様であるので、その説明は省略し、強運転時間を３時間又は６時間に設定する位置にスライド摘み３２が切り換えられた場合の動作を図１６に基づいて説明する。
【００７７】
換気扇Ｆ２の弱運転中に（図中の状態Ｄ４）、ハンドル部材３０が所定の操作時間（例えば３秒間）よりも短い時間だけ押操作されると（図中の操作Ｅ１９）、制御回路１は強タイマ（図示せず）により強運転時間（３時間又は６時間）の限時動作を開始させるとともに、開閉駆動部３を用いて強開閉素子２ａをオン、弱開閉素子２ｂをオフさせて、換気扇Ｆ２を強運転させる（図中の状態Ｄ６）。強タイマの限時動作が終了するか（図中の動作Ｅ２０）、或いは、強タイマの限時中にハンドル部材３０が所定の操作時間よりも短い時間だけ押操作されると（図中の操作Ｅ２１）、制御回路１は開閉駆動部３を用いて強開閉素子２ａをオフ、弱開閉素子２ｂをオンさせて、換気扇Ｆ２を弱運転状態に移行させる（図中の状態Ｄ４）。また換気扇Ｆ１の弱運転中や強運転中（図中の状態Ｄ４，Ｄ６）に、ハンドル部材３０が所定の操作時間以上連続押しされて（図中の操作Ｅ２２，Ｅ２３）、操作スイッチＳＷ１が上記操作時間以上連続してオン状態になると、制御回路１が開閉駆動部３により両開閉素子２ａ，２ｂをオフさせて、換気扇Ｆ２を停止させる（図中の状態Ｄ２）。また、換気扇Ｆ２の停止中に、ハンドル部材３０が押操作されると（図中の操作Ｅ２４）、制御回路１が開閉駆動部３を用いて強開閉素子２ａをオフ、弱開閉素子２ｂをオンさせ、換気扇Ｆ２を弱運転状態に移行させる（図中の状態Ｄ４）。
【００７８】
このように本実施形態では、換気扇Ｆ２を弱運転させている状態で、ハンドル部材３０が短時間押操作されると、制御回路１が、換気扇Ｆ２を所定の強運転時間だけ強運転させ、その後弱運転状態に戻しているので、所定の強運転時間だけ強運転することで速やかに換気が行え、しかも強運転時間が経過した時点で弱運転に戻しているので、弱運転に戻す操作が不要であり、強運転のままで運転し続けるのを防止できる。なお本実施形態では強運転時間を３時間や６時間のような比較的長時間に設定しているので、例えば浴室用の常時換気設備として設置された換気扇Ｆ２のスイッチとして用いる場合には入浴中は弱運転とし、入浴後に強タイマ機能を作動させ、３時間或いは６時間強運転状態で運転させることによって、浴室内の湿気を速やかに換気することができ、そのうえ強運転時間の経過後に自動的に弱運転に復帰するので、弱運転に戻す操作が不要になって、使い勝手が向上する。なお本実施形態をトイレ用の常時換気設備として設置された換気扇Ｆ２に用いる場合には、強運転時間を３分或いは６分といった比較的短い時間に設定するのが好ましく、常時および用便時は換気扇Ｆ２を弱運転とし、用便後に強タイマ機能を作動させ、３分或いは６分程度強運転状態で運転させることによって、トイレ内の臭気を速やかに換気することができ、また強運転時間の経過後に自動的に弱運転に復帰するので、弱運転に戻す操作が不要になって、使い勝手が向上する。
【００７９】
（実施形態６）
本発明の実施形態６を図１７〜図１９に基づいて説明する。本実施形態では、上述した実施形態３の換気扇スイッチＡにおいて、実施形態５で説明した強運転タイマの機能と、換気扇Ｆ２の強運転中にハンドル部材３０が操作されると換気扇Ｆ２の強運転状態を所定の強運転時間（遅延時間）だけ延長した後に換気扇Ｆ２を弱運転状態に切り換える遅れ弱タイマの機能とを付加し、強運転タイマ又は遅れ弱タイマの機能を選択的に使用できるようにしてある。本実施形態の構成は、強運転タイマ及び遅れ弱タイマの機能を機能を付加した点以外は実施形態３と同様であるので、共通する構成要素には同一の符号を付して、その説明は省略する。尚、上述した実施形態４の換気扇スイッチＡに、本実施形態の強運転タイマおよび遅れ弱タイマの機能を付加しても良いことは言うまでもない。
【００８０】
図１７は本実施形態の概略的なブロック回路図であり、制御回路１の動作モードを設定するためのモード切替スイッチＳＷ６と、強運転時間を設定するタイマ設定スイッチＳＷ７とを設けている。モード切替スイッチＳＷ６およびタイマ設定スイッチＳＷ７はそれぞれスライドスイッチからなり、各々のスライドスイッチのスライド摘み３３，３４を器体１０の前面に配置してある。そして、スライド摘み３３，３４は、それぞれ操作ハンドル２０に設けた開口窓２２ｄ，２２ｅを通して操作ハンドル２０の前面側に露出させており、ハンドルカバー２６を開いた状態でスライド摘み３３，３４の切替操作が行えるようになっている（図１８参照）。
【００８１】
モード切替スイッチＳＷ６は制御回路１の動作モードを設定するスイッチであり、スライド摘み３３の切替位置に応じて強運転タイマ又は遅れ弱タイマの何れか一方が有効になり、もう一方の機能が停止される。
【００８２】
タイマ設定スイッチＳＷ７は強運転時間を設定するためのスイッチであり、スライド摘み３４を「切」の位置に切り換えると、強運転時間が０に設定され、スライド摘み３４を「３時間」又は「６時間」の位置に切り換えると、強運転時間がそれぞれ３時間、６時間に設定される。なお強運転時間を３時間或いは６時間に設定する趣旨のものではなく、使用用途に応じて適宜設定すれば良く、浴室用の場合には上述のように数時間程度の長時間に設定すれば良いし、トイレ用の場合には数分程度（例えば３分又は６分）の短い時間に設定すればよい。
【００８３】
また、本実施形態ではリセットスイッチＳＷ２を無くしており、実施形態１で説明したように動作設定部５の回転摘み１８を「切」の位置まで回転させた時に、制御回路１が積算タイマ１ａの積算値をリセットするようにしている。つまり、動作設定部５でリセットスイッチを兼用している。
【００８４】
この換気扇スイッチＡの動作について説明する。なお、モード切替スイッチＳＷ６のスライド摘み３３を「一時強」の位置（強運転タイマ側）に切り換えた場合の動作は図１６に示す状態遷移図のようになり、実施形態５で説明した動作と同様であるので、その説明は省略し、モード切替スイッチＳＷ６のスライド摘み３３を「遅れ弱」の位置（遅れ弱タイマ側）に切り換えた場合の動作を図１９に基づいて説明する。
【００８５】
換気扇Ｆ２は常時換気設備として用いられており、換気扇Ｆ２が弱運転している状態で（図中の状態Ｄ４）、ハンドル部材３０が所定の操作時間（例えば３秒間）よりも短い時間だけ押操作されると（図中の操作Ｅ２５）、制御回路１は開閉駆動部３を用いて強開閉素子２ａをオン、弱開閉素子２ｂをオフさせて、換気扇Ｆ２を強運転させる（図中の状態Ｄ５）。また、換気扇Ｆ２が強運転している状態で（図中の状態Ｄ５）、ハンドル部材３０が所定の操作時間よりも短い時間だけ押操作されると（図中の操作Ｅ２６）、制御回路１は遅れタイマ（図示せず）により強運転時間（３時間又は６時間）の限時動作を開始させて、限時動作中は強運転を継続させる（図中の状態Ｄ７）。遅れタイマの限時動作が終了するか（図中の動作Ｅ２７）、又は、遅れタイマの限時中にハンドル部材３０が所定の操作時間よりも短い時間だけ押操作されると（図中の操作Ｅ２８）、制御回路１は開閉駆動部３を用いて強開閉素子２ａをオフ、弱開閉素子２ｂをオンさせ、換気扇Ｆ２を弱運転状態に移行させる（図中の状態Ｄ４）。また換気扇Ｆ２が強風又は弱風で運転中に（図中の状態Ｄ４，Ｄ５，Ｄ７）、ハンドル部材３０が所定の操作時間以上連続押しされると（図中の操作Ｅ２９，Ｅ３０，Ｅ３１）、制御回路１が開閉駆動部３を用いて両開閉素子２ａ，２ｂをオフさせ、換気扇Ｆ２を停止させる（図中の状態Ｄ２）。その後、換気扇Ｆ２の停止中に、ハンドル部材３０が押操作されると（図中の操作Ｅ３２）、制御回路１が開閉駆動部３を用いて強開閉素子２ａをオフ、弱開閉素子２ｂをオンさせ、換気扇Ｆ２を弱運転させる（図中の状態Ｄ４）。
【００８６】
このように遅れ弱タイマの動作モードでは、弱運転中にハンドル部材３０を１回押操作すると、換気扇Ｆ２の風量が弱から強に切り換えられ、その後ハンドル部材３０をもう１回押操作すると、所定の強運転時間だけ強運転を延長した後に弱運転に戻すことができる。したがって、トイレの常時換気設備として設置された換気扇Ｆ２に用いられる場合に、用便時以外は弱運転で動作させ、トイレに入る前にハンドル部材３０を１回押操作して、用便中に換気扇Ｆ２を強運転で動作させ、用便後にトイレから出た際にハンドル部材３０をもう１回押操作すると、トイレから出た後も所定の強運転時間だけ強運転状態が継続するから、用便中と用便後の所定期間に強運転させることでトイレ内の臭気を速やかに排出することができる。また遅れタイマの限時動作が終了した時点で制御回路１が換気扇Ｆ２の風量を強から弱に切り換えているので、使用者が換気扇Ｆ２の風量を弱に戻す操作を行う必要が無く、強運転で動作し続けるのを防止できる。尚、遅れ弱タイマの動作モードにおいて、タイマ設定スイッチＳＷ７のスライド摘み３４を「切」の位置に切り換えた場合は、強運転時間がゼロに設定されるので、この場合の動作は図１０の状態遷移図で表され、実施形態３で説明したのと同様の動作を行うので、その説明は省略する。
【００８７】
（実施形態７）
本発明の実施形態７を図２１および図２２に基づいて説明する。本実施形態では、上述した実施形態３の換気扇スイッチＡにおいて、弱運転中にハンドル部材３０が押操作されると換気扇Ｆ２を所定の一時停止期間停止させる一時停止タイマ機能と、一時停止期間が経過した時点から所定の強運転時間だけ換気扇Ｆ２を強運転させた後弱運転に戻す強運転タイマ機能とを付加している。尚、換気扇スイッチＡの基本的な構成は実施形態３と同様であるので、共通する構成要素には同一の符号を付して、その説明は省略する。
【００８８】
この換気扇スイッチＡの動作を図２０に基づいて説明する。換気扇Ｆ２は常時換気設備として用いられており、換気扇Ｆ２の弱運転中に（図中の状態Ｄ４）、ハンドル部材３０が所定の操作時間（例えば３秒間）よりも短い時間だけ押操作されると（図中の操作Ｅ３３）、制御回路１は切タイマ（図示せず）により一時停止期間（例えば３０分）の限時動作を開始させるとともに、開閉駆動部３に開制御信号を出力して、換気扇Ｆ１を一時停止させる（図中の状態Ｄ８）。切タイマの限時動作が終了するか（図中の動作Ｅ３４）、或いは、切タイマの限時中にハンドル部材３０が上記操作時間よりも短い時間だけ押操作されると（図中の操作Ｅ３５）、制御回路１は遅れタイマ（図示せず）により強運転時間（例えば３時間）の限時動作を開始させるとともに、開閉駆動部３を用いて強開閉素子２ａをオン、弱開閉素子２ｂをオフさせて、換気扇Ｆ２を強運転させる（図中の状態Ｄ９）。そして、遅れタイマの限時動作が終了するか（図中の動作Ｅ３６）、又は、遅れタイマの限時中にハンドル部材３０が上記操作時間よりも短い時間だけ押操作されると（図中の操作Ｅ３７）、制御回路１は開閉駆動部３を用いて強開閉素子２ａをオフ、弱開閉素子２ｂをオンさせて、換気扇Ｆ２を弱運転状態に移行させる（図中の状態Ｄ４）。また、換気扇Ｆ２が強風又は弱風で運転中に（図中の状態Ｄ４，Ｄ８，Ｄ９）、ハンドル部材３０が所定の操作時間以上連続押しされると（図中の操作Ｅ３８，Ｅ３９，Ｅ４０）、制御回路１が開閉駆動部３を用いて両開閉素子２ａ，２ｂをオフさせ、換気扇Ｆ２を停止させる（図中の状態Ｄ２）。その後、換気扇Ｆ２の停止中に、ハンドル部材３０が押操作されると（図中の操作Ｅ４１）、制御回路１が開閉駆動部３を用いて強開閉素子２ａをオフ、弱開閉素子２ｂをオンさせ、換気扇Ｆ２を弱運転させる（図中の状態Ｄ４）。
【００８９】
このように本実施形態では、換気扇Ｆ２の弱運転中にハンドル部材３０を押操作すると、換気扇Ｆ２が所定の一時停止期間停止するので、例えば浴室用の換気扇Ｆ２に用いる場合は入浴中などに換気扇Ｆ２を一時停止させることができる。さらに、換気扇Ｆ２の停止状態が一時停止期間継続すると換気扇Ｆ２が自動的に強運転を開始するので、入浴後に速やかに換気を行うことができ、且つ、強運転状態が所定の強運転時間継続すると換気扇Ｆ２の風量が自動的に弱に切り換えられるので、強運転から弱運転への切替忘れを防止することができる。また弱運転中にハンドル部材３０（つまり操作スイッチＳＷ１）を１回押操作するだけで、換気扇Ｆ２を一時停止させた後、所定の強運転時間だけ強運転させ、その後弱運転に戻すことが出来るから、使い勝手の良い換気扇スイッチＡを実現することができる。尚、上述した実施形態４の換気扇スイッチＡに、本実施形態で説明した一時停止タイマ機能と強運転タイマ機能を付加しても良いことは言うまでもない。
【００９０】
ところで本実施形態では、切タイマの一時停止期間と遅れタイマの強運転時間をそれぞれ固定としているが、一時停止期間又は強運転時間の何れか一方、或いは、両方を切替可能としても良い。
【００９１】
図２１（ａ）は一時停止期間又は強運転時間の何れか一方を切替可能とした形態を示している。この換気扇スイッチＡでは、例えばスライドスイッチからなり一時停止期間又は強運転時間の何れかを切替設定する設定スイッチを備えており、この設定スイッチの操作摘み３５を器体１０の前面に配置し、操作ハンドル２０に設けた開口窓２２ｃを通して操作ハンドル２０の前面側に露出させている。ここで、設定スイッチにより一時停止期間を切替設定する場合は強運転時間を固定とし、操作摘み３５の切替位置に応じて一時停止期間を例えば３０分又は６０分の何れかに切り換える。一方、設定スイッチにより強運転時間を切替設定する場合は一時停止期間を固定とし、操作摘み３５の切替位置に応じて強運転時間を例えば３時間又は６時間の何れかに切り換える。なお浴室に設置された換気扇Ｆ２に使用する場合は、強運転時間を数時間程度の比較的長い時間に設定することで、浴室内の湿気を十分に排出することができるが、トイレに設置された換気扇Ｆ２に使用する場合は浴室用途に比べて数分程度の短い時間に設定すれば良く、例えば３分又は５分の何れかに切替設定すれば良い。
【００９２】
また図２１（ｂ）は一時停止期間および強運転時間の両方を切替可能とした形態を示している。この換気扇スイッチＡでは、スライドスイッチからなり一時停止期間および強運転時間をそれぞれ切替設定する２つの設定スイッチを備えており、一時停止期間を切替設定する設定スイッチの操作摘み３６と、強運転時間を切替設定する設定スイッチの操作摘み３７を器体１０の前面にそれぞれ配置し、各操作摘み３６，３７を操作ハンドル２０に設けた開口窓２２ｄ，２２ｅから操作ハンドル２０の前面側に露出させている。而して、操作摘み３６の切換位置に応じて一時停止期間が例えば３０分又は６０分の何れかに切り換えられ、操作摘み３７の切換位置に応じて強動作時間が例えば３時間又は６時間の何れかに切り換えられる。ここで、一時停止期間および強動作時間は換気扇スイッチＡの使用用途に応じて適宜設定すれば良く、浴室に設置された換気扇Ｆ２に使用する場合は、強運転時間を数時間程度の比較的長い時間に設定することで、浴室内の湿気を十分に排出することができるが、トイレに設置された換気扇Ｆ２に使用する場合は浴室用途に比べて数分程度の短い時間に設定すれば良く、例えば３分又は５分の何れかに切替設定すれば良い。尚、この換気扇スイッチＡではリセットスイッチＳＷ２を無くしており、実施形態１で説明したように動作設定部５の回転摘み１８を「切」の位置まで回転させた時に、制御回路１が積算タイマ１ａの積算値をリセットするようにしている。つまり、動作設定部５でリセットスイッチを兼用している。
【００９３】
ところで、上述の各実施形態では換気扇Ｆ１，Ｆ２が運転状態であれば、清掃表示を行っている間も積算タイマ１ａが積算動作を行っているが、清掃表示を行っておらず、換気扇Ｆ１，Ｆ２が運転している場合のみ、積算タイマ１ａが積算動作を行うようにしたものもある。
【００９４】
このような換気扇スイッチの動作を図２２に基づいて説明する。初期使用時およびリセット状態では積算タイマ１ａの積算値がリセットされ、ゼロになっている。この状態で制御回路１が操作スイッチＳＷ１からの操作入力に応じて開閉駆動部３に閉制御信号を出力すると、換気扇に電源が供給されて、換気扇が運転状態となる。この時同時に制御回路１は積算タイマ１ａによる積算動作を開始させ、積算タイマ１ａが換気扇の運転時間を積算する。制御回路１は割込タイマを有しており、割込タイマがマイクロコンピュータからなる制御回路１に入力されるクロックパルスＣＰをカウントし、クロックパルスＣＰの個数が一定値に達すると、つまり一定の周期Ｘが経過すると、後述の割込処理を制御回路１に実行させる（図２２のＳ１０）。制御回路１が割込処理ルーチンを実行すると、先ず換気扇の運転／停止を表す運転制御フラグの値を確認し（図２２のＳ１１）、運転制御フラグの値が「０」（停止中）であれば、割込処理を終了する（図２２のＳ１２）。また運転制御フラグの値が「１」（運転中）であれば、制御回路１は清掃表示を行っているか否かを表す清掃表示フラグの値を確認し（図２２のＳ１３）、清掃表示フラグの値が「１」（表示中）であれば、割込処理を終了する（図２２のＳ１２）。一方、清掃表示フラグの値が「０」（表示しない）であれば、制御回路１は積算タイマ１ａの積算値を１増やし（図２２のＳ１４）、現在の積算値（つまり現在までの運転時間）をメモリ６に記憶させた後、積算タイマ１ａの積算値（カウンタ値）と、動作設定部５により設定される動作表示時間に対応した設定値との大小を比較する（図２２のＳ１５）。ここで、積算タイマ１ａの積算値が設定値よりも小さければ、すなわち運転時間の積算値が表示開始時間に達していなければ、制御回路１は清掃表示フラグの値を「０」に設定し（図２２のＳ１６）、表示ランプ４による清掃表示を行わずに割込処理を終了する（図２２のＳ１７）。一方、積算タイマ１ａの積算値が設定値以上であれば、すなわち運転時間の積算値が表示開始時間に達していれば、制御回路１は清掃表示フラグの値を「１」に設定し（図２２のＳ１８）、表示ランプ４を点滅させることで清掃表示を行わせた後、割込処理を終了する（図２２のＳ１７）。
【００９５】
この換気扇スイッチＡでは、清掃表示を行っておらず、且つ、換気扇が運転状態の場合のみ積算タイマ１ａが積算動作を行っているので、積算タイマ１ａの積算値が予め設定された表示開始時間に対応する設定値に到達すると、積算値がそれ以上増加することはない。したがって、積算タイマ（カウンタ）１ａの桁数を、表示開始時間の最大値に対応した必要最小限の桁数に設定でき、またカウンタの桁数が小さくて済むから、ラップタイムを記憶させるメモリの使用領域を少なくでき、その分だけ他の情報をより多く記憶することができる。
【００９６】
なお、本発明の精神と範囲に反することなしに、広範に異なる実施形態を構成することができることは明白なので、この発明は、特定の実施形態に制約されるものではない。
【図面の簡単な説明】
【００９７】
【図１】実施形態１の概略構成を示すブロック回路図である。
【図２】同上の動作説明図である。
【図３】同上を示し、（ａ）は施工状態においてハンドルカバーを開いた時の正面図、（ｂ）は同上の要部拡大図である。
【図４】同上を示し、（ａ）は正面図、（ｂ）は側面図、（ｃ）は背面図、（ｄ）は下面図である。
【図５】（ａ）〜（ｃ）は同上の動作を説明するタイムチャートである。
【図６】同上の他の構成を示し、施工状態においてハンドルカバーを開いた時の正面図である。
【図７】実施形態２の施工状態を示し、ハンドルカバーを開いた状態の正面図である。
【図８】（ａ）（ｂ）は同上の動作を説明する状態遷移図である。
【図９】実施形態３の概略構成を示すブロック回路図である。
【図１０】同上の動作を説明する状態遷移図である。
【図１１】実施形態４の概略構成を示すブロック回路図である。
【図１２】同上の施工状態を示し、ハンドルカバーを開いた状態の正面図である。
【図１３】同上の動作を説明する状態遷移図である。
【図１４】実施形態５の概略構成を示すブロック回路図である。
【図１５】同上の施工状態を示し、ハンドルカバーを開いた状態の正面図である。
【図１６】同上の動作を説明する状態遷移図である。
【図１７】実施形態６の概略構成を示すブロック回路図である。
【図１８】同上の施工状態を示し、ハンドルカバーを開いた状態の正面図である。
【図１９】同上の動作を説明する状態遷移図である。
【図２０】実施形態７の動作を説明する状態遷移図である。
【図２１】（ａ）（ｂ）は同上の施工状態を示し、ハンドルカバーを開いた状態の正面図である。
【図２２】換気扇スイッチの他の動作を示す動作説明図である。
【符号の説明】
【００９８】
Ａ  換気扇スイッチ
１  制御回路
１ａ  積算タイマ
２  開閉素子
３  開閉駆動部
４  表示ランプ
５  動作設定部
Ｆ１  換気扇
ＳＷ１  操作スイッチ
【図１】
0004770371.tif 000003
【図２】
0004770371.tif 000004
【図３】
0004770371.tif 000005
【図４】
0004770371.tif 000006
【図５】
0004770371.tif 000007
【図６】
0004770371.tif 000008
【図７】
0004770371.tif 000009
【図８】
0004770371.tif 000010
【図９】
0004770371.tif 000011
【図１０】
0004770371.tif 000012
【図１１】
0004770371.tif 000013
【図１２】
0004770371.tif 000014
【図１３】
0004770371.tif 000015
【図１４】
0004770371.tif 000016
【図１５】
0004770371.tif 000017
【図１６】
0004770371.tif 000018
【図１７】
0004770371.tif 000019
【図１８】
0004770371.tif 000020
【図１９】
0004770371.tif 000021
【図２０】
0004770371.tif 000022
【図２１】
0004770371.tif 000023
【図２２】
0004770371.tif 000024